(57)【要約】【課題】機械室内で調速機ロープの露出した部分が小さくても、機械室外の調速機ロープにロープテスター本体を取り付けて、調速機ロープの損傷を検出することができるかご調速機ロープテスター装置を得る。【解決手段】垂下されて形成された一対の平行部８の調速機ロープかご側部８ａがかご２に連結された無端状の調速機ロープ５の損傷を磁気的に検出する調速機ロープテスター装置９において、平行部８の調速機ロープ反かご側部８ｂに相対移動可能に設けられ、調速機ロープ反かご側部８ｂの損傷を磁気的に検出するロープテスター本体９ａと、一端部がロープテスター本体９ａと連結され、かご２とともに移動する保持部９ｂとを備え、かご２が移動すると、ロープテスター本体９ａが調速機ロープ反かご側部８ｂの損傷を磁気的に検出する。【選択図】図２
2009161287.tif 000002
【特許請求の範囲】
【請求項１】
垂下されて形成された一対の平行部のうちの第１の平行部が移動体に連結された無端状の調速機ロープの損傷を磁気的に検出する調速機ロープテスター装置において、
前記平行部のうちの第２の平行部に相対移動可能に設けられ、前記第２の平行部の損傷を磁気的に検出するロープテスター本体と、
一端部が前記ロープテスター本体と連結され、前記移動体とともに移動する保持部とを備え、
前記移動体が移動すると、前記ロープテスター本体が前記第２の平行部の損傷を磁気的に検出することを特徴とする調速機ロープテスター装置。
【請求項２】
前記保持部の他端部は、前記調速機ロープの前記第１の平行部に連結されることを特徴とする請求項１に記載の調速機ロープテスター装置。
【請求項３】
前記保持部は、一対の前記平行部に対して垂直方向に伸縮可能な伸縮部を有していることを特徴とする請求項１または請求項２に記載の調速機ロープテスター装置。
【発明の詳細な説明】
【技術分野】
【０００１】
この発明は、垂下された無端状の調速機ロープの損傷を磁気的に検出する調速機ロープテスター装置に関する。
【背景技術】
【０００２】
従来、機械室内を通過するかごロープに対して移動可能に設けられ、前記かごロープの損傷を磁気的に検出するロープテスター本体と、一端部が前記ロープテスター本体と連結され、他端部が前記機械室内の土台に固定された保持部とを備えたロープテスター装置が知られている（例えば、特許文献１参照）。
【０００３】
【特許文献１】特開２０００−３４４４４１号公報
【発明の開示】
【発明が解決しようとする課題】
【０００４】
しかしながら、このものの場合、調速機ロープの損傷を検出するために、機械室内を通過する調速機ロープにロープテスター本体を相対移動可能に取り付けようとしても、機械室内で調速機ロープの露出した部分が小さく、機械室内の調速機ロープにロープテスター本体を取り付けることができないという問題点があった。
【０００５】
この発明は、上述のような問題点を解決することを課題とするものであって、その目的は、機械室内で調速機ロープの露出した部分が小さくても、機械室外の調速機ロープにロープテスター本体を取り付けて、調速機ロープの損傷を検出することができる調速機ロープテスター装置を提供するものである。
【課題を解決するための手段】
【０００６】
この発明に係る調速機ロープテスター装置は、垂下されて形成された一対の平行部のうちの第１の平行部が移動体に連結された無端状の調速機ロープの損傷を磁気的に検出する調速機ロープテスター装置において、前記平行部のうちの第２の平行部に相対移動可能に設けられ、前記第２の平行部の損傷を磁気的に検出するロープテスター本体と、一端部が前記ロープテスター本体と連結され、前記移動体とともに移動する保持部とを備え、前記移動体が移動すると、前記ロープテスター本体が前記第２の平行部の損傷を磁気的に検出する。
【発明の効果】
【０００７】
この発明に係る調速機ロープテスター装置によれば、一端部がロープテスター本体と連結され、移動体とともに移動する保持部を備えているので、機械室内で調速機ロープの露出した部分が小さくても、機械室外の調速機ロープにロープテスター本体を取り付けて、調速機ロープの損傷を検出することができる。
【発明を実施するための最良の形態】
【０００８】
実施の形態１．
図１はエレベータの要部を示す正面図、図２は、図１の調速機ロープ５および調速機ロープテスター装置９を示す拡大図である。
この実施の形態に係る調速機ロープテスター装置９が取り付けられるエレベータは、昇降路１内に設けられた、昇降路１内を昇降するかご２と、このかご２に一端部が接続されたかごロープ３と、このかごロープ３の他端部に接続された、かご２と連動して逆方向に昇降する釣合い錘４と、かご２に連結された無端状の調速機ロープ５とを備えている。
【０００９】
調速機ロープ５は、昇降路１の上方に形成された機械室６内に取り付けられた調速機７に巻き掛けられており、この調速機７から垂下されて一対の平行部８が形成されている。
調速機ロープ５の一対の平行部８の第１の平行部である調速機ロープかご側部８ａは、かご２と連結されており、かご２の昇降に連動して、調速機ロープ５が循環移動する。
【００１０】
調速機ロープテスター装置９は、調速機ロープ５の一対の平行部８の第２の平行部である調速機ロープ反かご側部８ｂに相対移動可能に取り付けられるロープテスター本体９ａと、一端部がロープテスター本体９ａと連結され、他端部が調速機ロープかご側部８ａに連結される保持部９ｂとを備えている。
【００１１】
保持部９ｂの一端部には開閉部（図示せず）が設けられ、この開閉部の内側にロープテスター本体９ａを挿入し、蝶ネジ１０を介して開閉部を固定することで、保持部９ｂとロープテスター本体９ａとが連結される。
保持部９ｂの他端部にも、開閉部（図示せず）が設けられ、この開閉部の内側に調速機ロープかご側部８ａを挿入し、蝶ネジ１１を介して開閉部を固定することで、保持部９ｂと調速機ロープかご側部８ａとが連結される。
保持部９ｂの中間部には、一端部と他端部との間の距離を伸縮させる伸縮部１２を有しており、蝶ネジ１３を締めることで伸縮部１２を固定する。この伸縮部１２により、保持部９ｂは、調速機ロープ５の平行部８に対して垂直な方向に伸縮可能である。
【００１２】
ロープテスター本体９ａには、調速機ロープ５の損傷を磁気的に検出したデータを保存するメモリ１４が接続されており、このメモリ１４は、かご２の上に配置されている。
【００１３】
この調速機ロープテスター装置９を調速機ロープ５に取り付けた後、作業者がかご操作手段（図示せず）を用いて、かご２を最上階から最下階まで移動させると、ロープテスター本体９ａは、調速機ロープ反かご側部８ｂと相対移動して、調速機ロープ反かご側部８ｂの損傷を磁気的に検出する。
【００１４】
以上説明したように、この実施の形態に係る調速機ロープテスター装置９によれば、保持部９ｂの一端部がロープテスター本体９ａと連結され、保持部９ｂの他端部が調速機ロープかご側部８ａと連結されるので、機械室６内に調速機ロープ５の露出した部分が小さくても、昇降路１内の調速機ロープ５にロープテスター本体９ａを取り付けて、調速機ロープ５の損傷を検出することができる。
また、調速機ロープテスター装置９が調速機ロープ５に取り付けられるので、作業者は、調速機ロープテスター装置９から手を離して、かご２を昇降させることができ、一人で調速機ロープ５の損傷を検出する作業を行うことができる。
【００１５】
また、保持部９ｂの他端部は、調速機ロープかご側部８ａに連結されるので、かご２の昇降に連動して、簡単に、調速機ロープテスター装置９を昇降させることができる。
【００１６】
また、保持部９ｂは、調速機ロープ５の平行部８に対して垂直方向に伸縮可能な伸縮部１２を有しているので、調速機ロープかご側部８ａと調速機ロープ反かご側部８ｂとの間の距離が異なる他のエレベータに対しても、簡単に、調速機ロープテスター装置９を取り付けることができる。
【００１７】
なお、上記実施の形態１では、かご２に取り付けられた調速機ロープ５について説明したが、勿論このものに限らず、釣合い錘４に取り付けられた調速機ロープ５であってもよい。
【００１８】
また、上記実施の形態１では、保持部９ｂの他端部を調速機ロープかご側部８ａに連結させたが、保持部９ｂの他端部をかご２またはかご２とともに移動する部分に連結させてもよい。
【図面の簡単な説明】
【００１９】
【図１】エレベータの要部を示す正面図である。
【図２】図１の調速機ロープおよび調速機ロープテスター装置を示す拡大図である。
【符号の説明】
【００２０】
１  昇降路、２  かご、３  かごロープ、４  釣合い錘、５  調速機ロープ、６  機械室、７  調速機、８  平行部、８ａ  調速機ロープかご側部、８ｂ  調速機ロープ反かご側部、９  調速機ロープテスター装置、９ａ  ロープテスター本体、９ｂ  保持部、１０  蝶ネジ、１１  蝶ネジ、１２  伸縮部、１３  蝶ネジ、１４  メモリ。
【図１】
2009161287.tif 000003
【図２】
2009161287.tif 000004